(57)【要約】【課題】信頼性の高いカードキーを作成する技術を提供すること。【解決手段】少なくともＩＣチップを内蔵したＩＣカードに所定の情報を書き込んでカードキーを作成するカードキー作成装置において、少なくともＩＣチップを内蔵した公的ＩＤカードから所定の情報を読み込む情報読み出し手段（１２）と、前記公的ＩＤカードの所有者の生体情報を入力する生体情報入力手段（１４）と、前記公的ＩＤカードの所有者が該公的ＩＤカードの真の所有者かどうかを判定する認証手段（１８）と、前記公的ＩＤカードの所有者が真の所有者であった場合に、公的ＩＤカードに記録された情報と、カードキーとして必要な情報を前記ＩＣカードに書き込んで、カードキーを作成する手段（１２）と、を備えた。【選択図】      図１
2007233938.tif 000002
【特許請求の範囲】
【請求項１】
少なくともＩＣチップを内蔵したＩＣカードに所定の情報を書き込んでカードキーを作成するカードキー作成装置において、
少なくともＩＣチップを内蔵した公的ＩＤカードから所定の情報を読み込む情報読み出し手段と、
前記公的ＩＤカードの所有者の生体情報を入力する生体情報入力手段と、
前記公的ＩＤカードの所有者が該公的ＩＤカードの真の所有者かどうかを判定する認証手段と、
前記公的ＩＤカードの所有者が真の所有者であった場合に、公的ＩＤカードに記録された情報と、カードキーとして必要な情報を前記ＩＣカードに書き込んで、カードキーを作成する手段と、を具備することを特徴とするカードキー作成装置。
【請求項２】
請求項１に記載のカードキー作成装置において、前記所定の情報は、少なくとも公的ＩＤカードのＩＤ情報と所有者の生体情報を含むことを特徴とするカードキー作成装置。
【請求項３】
請求項１または請求項２に記載のカードキー作成装置において、前記カードキーとして必要な情報は、少なくとも公的ＩＤカードのＩＤ情報と所有者の生体情報を含むことを特徴とするカードキー作成装置。
【請求項４】
請求項１から請求項３のいずれか１項に記載のカードキー作成装置において、前記公的ＩＤカードは、運転免許証やパスポートを含むことを特徴とするカードキー作成装置。
【請求項５】
少なくともＩＣチップを内蔵したＩＣカードに所定の情報を書き込んでカードキーを作成するカードキー作成方法において、
少なくともＩＣチップを内蔵した公的ＩＤカードから所定の情報を読み込み、
前記公的ＩＤカードの所有者の生体情報を入力し、
前記公的ＩＤカードの所有者が該公的ＩＤカードの真の所有者かどうかを判定する認証し、
前記公的ＩＤカードの所有者が真の所有者であった場合に、公的ＩＤカードに記録された情報と、カードキーとして必要な情報を前記ＩＣカードに書き込んで、カードキーを作成することを具備することを特徴とするカードキー作成方法。
【発明の詳細な説明】
【技術分野】
【０００１】
本発明は、カードキー作成装置及びカードキー作成方法に関する。
【背景技術】
【０００２】
近年、ＩＤカードにＩＣチップを組み込んだものが広く使用されている。このＩＤカードは、カードキーとしても使用されることが種々提案されており、例えば、特開２００５−１６１８７６号公報（特許文献１）では、ＩＣチップが搭載された運転免許証を自動車キーシステムとして使用し、車両が停止している際に、駆動装置を停止させずにカードホルダーから運転免許証を着脱可能にするシステムを提案している。また、特開２００５−３３０７７０号公報（特許文献２）では、ＩＣタグを備えたカードキーを開示しており、ＩＣタグの他に、鍵として機能するパターンで配列された透孔を備えている。
【０００３】
この場合において、特許文献１に記載のように、運転免許証をそのまま自動車キーシステムとして使用すると、運転免許証の複製はできないので、運転免許証が破損した場合における対応が困難である。  
また、特許文献２に記載のように、カードキーを別に作成する場合には、通常、例えばコンピュータに登録された情報からカードキーを作成することになるが、情報を登録する手間が掛かる、誤入力の恐れがある、本人かどうかの確認が別途必要となる、等の問題がある。
【特許文献１】特開２００５−１６１８７６号公報
【特許文献２】特開２００５−３３０７７０号公報
【発明の開示】
【発明が解決しようとする課題】
【０００４】
本発明は、信頼性の高いカードキーを作成する技術を提供することを目的とする。
【課題を解決するための手段】
【０００５】
本発明の局面では、本人の生体情報を有する公的ＩＤカードの情報と本人を認証し、認証可となった公的ＩＤカードの情報を用いて、ＩＣ等の記録媒体に公的ＩＤカードの情報と本人の生体情報とを含むカードキーを作成する。また、カードキーを利用するアプリケーションに応じた情報をＩＣカードに書き込んでカードキーを作成する
本発明の局面に係る発明は、少なくともＩＣチップを内蔵したＩＣカードに所定の情報を書き込んでカードキーを作成するカードキー作成装置において、少なくともＩＣチップを内蔵した公的ＩＤカードから所定の情報を読み込む情報読み出し手段と、前記公的ＩＤカードの所有者の生体情報を入力する生体情報入力手段と、前記公的ＩＤカードの所有者が該公的ＩＤカードの真の所有者かどうかを判定する認証手段と、前記公的ＩＤカードの所有者が真の所有者であった場合に、公的ＩＤカードに記録された情報と、カードキーとして必要な情報を前記ＩＣカードに書き込んで、カードキーを作成する手段と、を具備することを特徴とする。なお、本発明は、装置に限らず方法の発明としても成立する。
【発明の効果】
【０００６】
本発明によれば、信頼性の高いカードキーを作成することができる。
【発明を実施するための最良の形態】
【０００７】
図面を参照して本発明の実施の形態を説明する。図１は、本発明の一実施態様に係るカードキー作成システムの概略構成を示すブロック図である。  
図１に示すように、本実施態様に係るカードキー作成装置１０は、カードキーを作成するための端末であって、ＩＣカードリーダ／ライタ１２と、生体情報入力部１４と、キーボード／マウス等の操作部１６と、制御部１８を備えている。このカードキー作成装置１０は、例えば、通常のパーソナルコンピュータであれば良く、図示しない記憶部や出力部（表示部や印刷部）を備えていればよい。
【０００８】
ＩＣカードリーダ／ライタ１２は、運転免許証やパスポート、或いは健康保険証などの公的ＩＤカード（以下、「公的ＩＤカード」と称する）に内蔵されたＩＣチップ（メモリを含むものとして説明する）に記録された情報を読み取ったり、カードキーに内蔵されたＩＣチップへ情報を書き込んだりする。  
生体情報入力部１４は、本人の生体情報（指紋、顔等）を読み取る。  
操作部１６は、例えば、ＩＣカードリーダ／ライタ１２を動作させるための指示を行ったり、生体情報入力部１４による生体情報の読み取りの指示を行ったりするための、指示を行う。  
制御部１８は、各部の制御を行うとともに、公的ＩＤカードの本人認証などを行う。
【０００９】
なお、このカードキー作成装置１０は、公的ＩＤカードの認証を行うために、例えば、認証局などの公的機関に、図示しない通信インターフェースを介して通信により、照合を行うことができることが好ましい。これにより、公的ＩＤカードの所有者が、本人であることに対する信頼性を更に高めることができる。
【００１０】
図２を参照して、に構成されたカードキー作成装置の動作を説明する。図２は、本実施態様に係るカードキー作成装置の基本的な動作を示すフローチャートである。  
公的ＩＤカードをＩＣカードリーダ／ライタ１２にセットする（ステップＳ１）。次に、本人の顔や指紋等の生体情報を生体情報入力部１４から読み込む（ステップＳ２）。操作部１６の例えばキーボードからＩＤ及びパスワードを入力して、公的ＩＤカードに記録された情報を取得する（ステップＳ３）。そして、公的ＩＤカードから取得した生体情報と生体情報入力部１４から取得した本人の生体情報で認証を行う（ステップＳ４、ステップＳ５）。なお、この場合において、カードキー作成装置１０が、認証局と通信可能であれば、認証局に公的カードの持ち主が本人であるかどうかの認証を行わせてもよい。
【００１１】
ステップＳ５において、認証可の場合、公的ＩＤカードから所定の情報（例えば、ＩＤ番号、生体情報等）を取得する（ステップＳ６）。そして、カードキーとして使用するＩＣカードをＩＣカードリーダ／ライタ１２にセットして（ステップＳ７）、公的ＩＤカードから取得した所定の情報をＩＣカードへ書き込む（ステップＳ８）ことにより、カードキーが作成される。  
なお、この場合において、例えば、カードキーが自動車のイグニッションキーとして使用される場合には、上記の公的ＩＤカードに記録された情報の他、自動車のイグニッションキー情報も書き込まれる。  
また、ステップＳ５において、認証が不可の場合には、公的カードの所有者が本人ではないので、カードキーを作成しないで、処理を終了する。
【００１２】
上記のように、本実施態様では、公的ＩＤカード情報からカードキーを作成するようにしたので、下記のような、効果が得られる。  
・カードキー作成時におけるデータ誤入力を防止できる。  
・カードキー作成時間を短縮できる。  
・公的ＩＤカードの情報を用いてカードキーを作成するので、信頼性が高い。  
・カードキーとして必要な複製（スペアキー）を作成することができる。  
・カードキーを使用するアプリケーションに応じて、必要な情報を選択し登録することができる。
【００１３】
従って、電子的記録媒体有する公的ＩＤカードをカードキーとして使う場面において、本システムでカードキー（スペアキー）を作成することにより、  
・カード破損時等において不測の事態を回避できる。  
・ＩＤ／パスワード等の入力を省略し、アプリケーションが必要とする情報を使用できる。
【００１４】
例えば、ＩＣカード型運転免許証を車のエンジン始動と連携させた場合、その免許証が本人のものかどうか認証するための顔画像を取得するには、複数の暗証番号を入力する必要がある。しかし、本実施態様に係るカードキー作成時に生体情報を呼び出せるようにしておけば、カード挿入と同時に認証を行うことができる。また、車での外出時に免許証を紛失したり、破損したりした場合に、通常の手段ではエンジン始動が行えない状態となるが、カードキー（スペアキー）を準備しておくことによりこれを回避できる。
【００１５】
本発明は、上記各実施の形態に限ることなく、その他、実施段階ではその要旨を逸脱しない範囲で種々の変形を実施し得ることが可能である。例えば、上記実施態様において、ＩＣチップはオンチップメモリを想定したが、着脱式のメモリが装着可能なものであってもよいし、メモリチップを別に内蔵したものであってもよい。さらに、上記各実施形態には、種々の段階の発明が含まれており、開示される複数の構成要件における適宜な組合せにより種々の発明が抽出され得る。
【００１６】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００１７】
【図１】本発明の一実施態様に係るカードキー作成システムの概略構成を示すブロック図である。
【図２】本実施態様に係るカードキー作成装置の基本的な動作を示すフローチャートである。
【符号の説明】
【００１８】
１０…カードキー作成装置
１２…ＩＣカードリーダ／ライタ
１４…生体情報入力部
１６…操作部
１８…制御部
【図１】
2007233938.tif 000003
【図２】
2007233938.tif 000004